(57)【要約】【課題】メディア作成中に、他のメディアにレーベル印刷を行なうことのメディア処理装置を提供すること。【解決手段】ＣＤ／ＤＶＤパブリッシャ１は、メディアドライブ３におけるデータ書込み動作中にレーベルプリンタ４にメディアが供給されていないメディア供給待ち状態が発生していることを検出するメディア供給待ち状態検出手段３１を備えている。第１メディアスタッカ５からメディアドライブ３に供給されたブランクメディア１０にデータを書込んでいる間に、レーベルプリンタ４のメディア供給待ち状態を検出すると、第２メディアスタッカ６からレーベルプリンタ４にデータ書込み済みメディア１１（１）を供給してレーベルを印刷する。ブランクメディア１０の作成動作に支障をきたすことなく、効率良くデータ書込み済みメディア１１（１）にレーベルを印刷できる。【選択図】図２
2008123632.tif 000002
【特許請求の範囲】
【請求項１】
第１メディア供給部から第１メディアをメディアドライブに供給し、
当該メディアドライブによって前記第１メディアにデータを書込み、
書込みが終了した書込み済み第１メディアをプリンタに供給し、
当該プリンタによって前記書込み済み第１メディアにレーベルを印刷し、
前記レーベルの印刷が終了した作成済み第１メディアをメディア排出部に排出し、
前記メディアドライブにおけるデータ書込み動作中に、前記プリンタにメディアが供給されていないメディア供給待ち状態が発生している場合には、
第２メディア供給部から第２メディアを前記プリンタに供給して、所定のレーベルを印刷し、このレーベルの印刷が終了した作成済み第２メディアを前記メディア排出部に排出する割り込み処理を実行することを特徴とするメディア処理装置の制御方法。
【請求項２】
請求項１において、
前記プリンタに供給される前記書込み済み第１メディアが無くなった後は、前記第２メディア供給部の前記第２メディアが無くなるまで、前記割り込み処理を繰り返し実行することを特徴とするメディア処理装置の制御方法。
【請求項３】
請求項２において、
前記メディア排出部として、第１メディア排出部および第２メディア排出部を配置しておき、
前記作成済み第１メディアを前記第１メディア排出部に排出し、
前記割り込み処理によって得られた前記作成済み第２メディアを前記第２メディア排出部に排出することを特徴とするメディア処理装置の制御方法。
【請求項４】
請求項１ないし３のうちのいずれかの方法によりメディア処理装置を駆動制御する駆動制御装置であって、
通信回線を介して外部から前記メディア処理装置を駆動制御することを特徴とするメディア処理装置の駆動制御装置。
【請求項５】
第１メディアを収納する第１メディアスタッカと、
第２メディアを収納する第２メディアスタッカと、
前記第１メディアにデータを書込むメディアドライブと、
データ書込みが終わった書込み済み第１メディア、および、前記第２メディアにレーベルを印刷するプリンタと、
印刷後に前記プリンタから取り出されたメディアが収納されるメディア排出用スタッカと、
前記メディアドライブにおけるデータ書込み動作中に、前記プリンタにメディアが供給されていないメディア供給待ち状態が発生していることを検出するメディア供給待ち状態検出手段と、
メディアの搬送を行なうメディア搬送手段を有し、
前記メディア搬送手段は、前記第１メディアを第１メディアスタッカから前記メディアドライブを経由して前記プリンタに供給するとともに、前記レーベルの印刷が終わった作成済み第１メディアを前記メディア排出用スタッカに排出し、前記メディア供給待ち状態を検出した場合には、前記第２メディアを前記第２メディアスタッカから前記プリンタに供給し、前記レーベルの印刷が終わった作成済み第２メディアを前記メディア排出用スタッカに排出することを特徴とするメディア処理装置。
【請求項６】
請求項５において、
前記第１メディアスタッカから前記第１メディアが無くなった第１メディア終了状態を検出する第１メディア終了検出手段を有し、
前記第１メディア終了状態が検出された後は、前記メディア搬送手段は、前記第２メディア供給部から前記第２メディアを前記プリンタに供給し、前記レーベルの印刷が終わった作成済み第２メディアを前記メディア排出用スタッカに排出することを特徴とするメディア処理装置。
【請求項７】
請求項５または６において、
前記プリンタは、前記第２メディアには前記書込み済み第１メディアに印刷した前記レーベルとは異なるレーベルを印刷することを特徴とするメディア処理装置。
【請求項８】
請求項７において、
前記メディア排出用スタッカとして、第１メディア排出用スタッカおよび第２メディア排出用スタッカを備えており、
前記メディア搬送手段は、前記作成済み第１メディアを前記第１メディア排出用スタッカに排出し、前記作成済み第２メディアを前記第２メディア排出用スタッカに排出することを特徴とするメディア処理装置。
【発明の詳細な説明】
【技術分野】
【０００１】
本発明は、ＣＤ、ＤＶＤなどのメディアにデータの書込みおよびレーベル印刷を連続して行なうＣＤ／ＤＶＤパブリッシャなどのメディア処理装置に関し、更に詳しくは、１枚のメディアに対するデータ書込み中にアイドル状態にあるレーベルプリンタを利用して、別のメディアのレーベル印刷を効率良く行なうことのできるメディア処理装置およびメディア処理装置の制御方法に関する。
【背景技術】
【０００２】
メディア処理装置、たとえばＣＤ／ＤＶＤパブリッシャは、卒業アルバムのＤＶＤや雑誌に付録として添付されているＣＤなどのメディアを作成するために用いられる。ＣＤ／ＤＶＤパブリッシャでは、メディア供給部から取り出したブランクメディアを、まず、メディアドライブに供給して所定のデータを書込み、データ書込み後のメディアをプリンタに供給してレーベルを印刷する。そして、印刷が終了した作成済みメディアをメディア排出部に排出する。これら一連のメディア作成の動作を繰返し行なうことによって大量のメディアを作成する。
【０００３】
ＣＤ／ＤＶＤパブリッシャにおいて、プリンタで印刷エラーが発生した場合には、その時点で、印刷動作を停止あるいは中断させる必要がある。また、動作を再開するためには、プリンタ内から印刷エラーが発生したメディアを取り除いて、プリンタを正常状態に復帰させる必要がある。プリンタにおける印刷エラーは、そのほとんどが消耗品としてのインク、トナーなどのインク切れによるものであり、その結果、印刷不良あるいは印刷不可のエラー状態になるというものである。
【０００４】
特許文献１には、インクジェットプリンタにおいてインク切れが発生した場合に、インクが補填されるまで印刷動作を停止または中断する点が開示されている。特許文献２には、画像形成装置においてインク切れ間近状態、すなわちインクニアエンドが検出された時点におけるインク残量を記録紙１枚分の印刷が可能な量としておき、印刷中にインクニアエンドが検出された場合には、印刷中の記録紙に対する印刷動作を最後まで行ない、しかる後に印刷動作を停止あるいは中断する点が開示されている。特許文献３には、インク切れが検出された後は、残っている色インクを用いて印刷を継続する点が開示されている。
【特許文献１】特開２０００−１４１７００号公報
【特許文献２】特開２００５−４１０２５号公報
【特許文献３】特開２００１−１９１５６０号公報
【発明の開示】
【発明が解決しようとする課題】
【０００５】
ここで、印刷エラーが発生した場合に、メディアドライブ内、プリンタ内、あるいはメディア搬送経路上に残留しているメディアの中には、データ書込みまで終了したデータ書込み済みメディアであって、レーベル面が未印刷状態のものがある。このような未印刷状態のデータ書込み済みメディアは、印刷エラーの解除後にレーベルの印刷を行なえば作成済みメディアとすることができる。
【０００６】
ユーザが２台のＣＤ／ＤＶＤパブリッシャを所有している場合には、一方のＣＤ／ＤＶＤパブリッシャでは、通常どおりにブランクメディアに対するデータの書込み、およびレーベルの印刷を連続して行なうメディア作成の動作を行ない、他方のＣＤ／ＤＶＤパブリッシャによって未印刷状態のデータ書込み済みメディアにレーベルを印刷して作成済みメディアを得ることができる。ユーザがＣＤ／ＤＶＤパブリッシャとは別にレーベルプリンタを所有している場合には、レーベルプリンタによって、未印刷状態のデータ書込み済みメディアにレーベルを印刷して作成済みメディアとすることができる。ユーザが複数台のＣＤ／ＤＶＤパブリッシャあるいはレーベルプリンタを保有していない場合には、１台のＣＤ／ＤＶＤパブリッシャにおけるブランクメディアに対する一連のメディア作成動作が終了するのを待って、未印刷状態のデータ書込み済みメディアにレーベルを印刷して作成済みメディアを得ることができる。
【０００７】
しかしながら、２台のＣＤ／ＤＶＤパブリッシャを用いる場合には、本来ならば他のメディア作成に利用することができるＣＤ／ＤＶＤパブリッシャをレーベル印刷のためだけに用いているので生産性が低下するという問題がある。また、レーベルを印刷するために、レーベルプリンタを別途備えるのでは費用効率が悪いという問題がある。さらに、一連のメディア作成の動作が終了した後にレーベル印刷を行なう場合には、レーベルを印刷するための待ち時間が長くなり、生産性が低下するという問題がある。
【０００８】
本発明の課題は、このような点に鑑みて、別個のメディアに対してメディアの書込み動作とレーベル印刷動作とを同時に実行できるようにしたメディア処理装置およびメディア処理装置の制御方法を提案することにある。
【課題を解決するための手段】
【０００９】
上記の課題を解決するために、本発明のメディア処理装置の駆動制御方法では、第１メディア供給部から第１メディアをメディアドライブに供給し、当該メディアドライブによって前記第１メディアにデータを書込み、書込みが終了した書込み済み第１メディアをプリンタに供給し、当該プリンタによって前記書込み済み第１メディアにレーベルを印刷し、前記レーベルの印刷が終了した作成済み第１メディアをメディア排出部に排出するようにしている。また、前記メディアドライブにおけるデータ書込み動作中に、前記プリンタにメディアが供給されておらず、前記プリンタがメディア供給待ち状態（アイドル状態）となっている場合には、第２メディア供給部から第２メディアを前記プリンタに供給して、所定のレーベルを印刷し、このレーベルの印刷が終了した作成済み第２メディアを前記メディア排出部に排出するという、割り込み処理を実行するようにしている。
【００１０】
メディア作成において、データ書込み時間はレーベル印刷時間と比較して数倍の時間が掛かる。例えば、メディアドライブによるＣＤへのデータの書込み時間は１枚あたり１５０秒程度、ＤＶＤへのデータの書込み時間は１枚あたり６００秒程度である。これに対して、プリンタによるレーベル印刷時間は高解像度で印刷しても１枚あたり４０秒程度である。すなわち、１枚のＣＤへのデータ書込み時間は、レーベル印刷時間の３倍であり、１枚のＤＶＤへのデータ書込み時間はレーベル印刷時間の１５倍である。ここで、メディア処理装置は、データの書込みおよびレーベルの印刷をこの順番で連続して行なうので、プリンタは、供給されたメディアにレーベルを印刷している時間よりも、メディアドライブからメディアが供給されるのを待っているメディア供給待ち状態の時間の方が圧倒的に長い。
【００１１】
本発明は、このメディア供給待ち状態に着目したものであり、第１メディアのデータ書込み中にプリンタがメディア供給待ち状態の場合には、割り込み処理を実行して、第２メディアをプリンタに供給してレーベルを印刷するようにしている。したがって、第１メディアに対するデータの書込みと第２メディアに対するレーベルの印刷とが並行して行なわれるので、通常のメディア作成の動作と、レーベル印刷のみを行なう動作とが効率よく処理される。例えば、一連のメディア作成の動作と並行して未印刷状態のデータ書込み済みメディアにレーベル印刷を行なう処理を効率良く行なうことができる。
【００１２】
ここで、前記プリンタに供給される前記書込み済み第１メディアが無くなった後に、前記第２メディア供給部に前記第２メディアが残っている場合には、当該第２メディアが無くなるまで、前記割り込み処理を繰り返し実行すればよい。
【００１３】
また、前記メディア排出部として、第１メディア排出部および第２メディア排出部を配置しておき、前記作成済み第１メディアを前記第１メディア排出部に排出し、前記割り込み処理によって得られた前記作成済み第２メディアを前記第２メディア排出部に排出してもよい。このようにすれば、第１メディアの書込みデータおよびレーベルと、第２メディアの書込みデータおよびレーベルとが相互に異なる場合などにおいて、作成後の仕分け作業が不要になる。
【００１４】
ここで、本発明によるメディア処理装置の駆動制御方法は、メディア処理装置のハードウエアおよびそれに搭載したファームウエアにより実現することができる。しかしながら、メディア処理装置のファームウエア、ハードウエアなどの複雑化を回避し、本発明の駆動制御方法をメディア処理装置に実行させるためには、通信回線を介して外部からメディア処理装置を駆動制御すればよい。すなわち、駆動制御装置の側に搭載したアプリケーションソフト、ドライバソフトなどによって、メディア処理装置のハードウエアの動作状態を示すステータス情報を受信するようにして、本発明の駆動制御方法に従って動作するようにメディア処理装置を駆動制御すればよい。
【００１５】
次に、本発明のメディア処理装置は、第１メディアを収納する第１メディアスタッカと、
第２メディアを収納する第２メディアスタッカと、前記第１メディアにデータを書込むメディアドライブと、データ書込みが終わった書込み済み第１メディア、および、前記第２メディアにレーベルを印刷するプリンタと、印刷後に前記プリンタから取り出されたメディアが収納されるメディア排出用スタッカと、前記メディアドライブにおけるデータ書込み動作中に、前記プリンタにメディアが供給されていないメディア供給待ち状態が発生していることを検出するメディア供給待ち状態検出手段と、メディアの搬送を行なうメディア搬送手段を有し、前記メディア搬送手段は、前記第１メディアを第１メディアスタッカから前記メディアドライブを経由して前記プリンタに供給するとともに、前記レーベルの印刷が終わった作成済み第１メディアを前記メディア排出用スタッカに排出し、前記メディア供給待ち状態を検出した場合には、前記第２メディアを前記第２メディアスタッカから前記プリンタに供給し、前記レーベルの印刷が終わった作成済み第２メディアを前記メディア排出用スタッカに排出することを特徴としている。
【００１６】
ここで、前記第１メディアスタッカから前記第１メディアが無くなった第１メディア終了状態を検出する第１メディア終了検出手段を有している場合には、前記第１メディア終了状態が検出された後は、前記メディア搬送手段は、前記第２メディア供給部から前記第２メディアを前記プリンタに供給し、前記レーベルの印刷が終わった作成済み第２メディアを前記メディア排出用スタッカに排出するように構成することができる。
【００１７】
また、前記プリンタは、前記第２メディアには前記書込み済み第１メディアに印刷した前記レーベルとは異なるレーベルを印刷するようにしてもよい。
【００１８】
この場合には、前記メディア排出用スタッカとして、第１メディア排出用スタッカおよび第２メディア排出用スタッカを用意しておき、前記メディア搬送手段は、前記作成済み第１メディアを前記第１メディア排出用スタッカに排出し、前記作成済み第２メディアを前記第２メディア排出用スタッカに排出すればよい。
【発明の効果】
【００１９】
本発明によれば、第１メディアに対するデータの書込み中において、プリンタがアイドル状態にある場合には、当該アイドル状態の期間を利用して、割り込み処理を実行して、第２メディアのレーベル印刷を行なうようにしている。したがって、通常のメディア作成動作に支障をきたすことなく、効率良く別のメディアにレーベル印刷を行なうことができる。
【００２０】
また、複数台のＣＤ／ＤＶＤパブリッシャやレーベル印刷用のレーベルプリンタを別途備える必要がないので、余分な設備投資のための費用の削減も可能となる。
【発明を実施するための最良の形態】
【００２１】
以下に、図面を参照して本発明を適用したメディア処理装置の実施の形態を説明する。
【００２２】
（構成の説明）
図１は本発明の実施の形態に係るＣＤ／ＤＶＤパブリッシャを示す斜視図であり、内部構造が分かるように、その前面の開閉扉を開くと共に、その筐体の上板部分の一部を取り外した状態で示してある。
【００２３】
ＣＤ／ＤＶＤパブリッシャ１は、ＣＤ、ＤＶＤなどのメディアに、データの書込みとレーベルの印刷とを連続して行なうものであり、メディアを搬送するメディア搬送機構２と、メディアにデータを書込むメディアドライブ３と、メディアに所定のレーベルを印刷するレーベルプリンタ４とを有している。また、メディアドライブ３に供給されるブランクメディア１０（第１メディア）を収納する第１メディアスタッカ５（第１メディア供給部）と、レーベルプリンタ４に供給される未印刷状態のデータ書込み済みメディア１１（１）（第２メディア）を収納するための第２メディアスタッカ６（第２メディア供給部）と、レーベル印刷が終了した作成済みメディアを収納するメディア排出用スタッカ７（メディア排出部）とを備えている。
【００２４】
詳細に説明すると、ＣＤ／ＤＶＤパブリッシャ１は筺体８を備え、この筺体８の前面には左右に開閉可能な開閉扉１２、１３が取り付けられている。
【００２５】
筺体８内において、左側の開閉扉１３の裏側には、上から順番に、第１メディアスタッカ５、第２メディアスタッカ６、メディア排出用スタッカ７が配置されている。各メディアスタッカ５、６、７は、メディアを上下方向に積層した状態で収納するものである。これらのメディアスタッカ５ないし７は、開閉扉１３を開けて手前に引き出すことが可能であり、引き出した状態の第１メディアスタッカ５および第２メディアスタッカ６には、それぞれブランクメディア１０、データ書込み済みメディア１１（１）を供給あるいは補充でき、引き出した状態のメディア排出用スタッカ７からは、収納されている作成済みメディアを取り出すことができる。
【００２６】
メディアスタッカ５、６、７の後方にはメディア搬送機構２が配置されている。メディア搬送機構２は、垂直ガイド軸２１と、この垂直ガイド軸２１に取り付けられたメディアキャリア２２を備えている。メディアキャリア２２は垂直ガイド軸２１に沿って昇降可能であるとともに、垂直ガイド軸２１を中心に旋回可能になっている。メディア搬送機構２は、メディアキャリア２２の昇降および旋回の組み合わせによって、メディアドライブ３、レーベルプリンタ４および各メディアスタッカ５、６、７の間でメディアを搬送することができる。
【００２７】
筺体８内の正面中央部の後ろ側には、上側にメディアドライブ３が配置され、下側にレーベルプリンタ４が配置されている。図１では、メディアドライブ３のメディアトレイ３５およびレーベルプリンタ４のメディアトレイ４５が引き出された状態になっている。引き出された状態のメディアトレイ３５、４５の位置が、メディアドライブ３およびレーベルプリンタ４とメディア搬送機構２とのメディア受け渡し位置である。なお、筺体８内の正面中央部の下端部分には、メディアが筺体８の外部に排出される際に、排出されるメディアの受け皿となる排出トレイ５０が構成されている。
【００２８】
筺体８内における右側の開閉扉１２の裏側には、レーベルプリンタ４にインクを供給する複数のインクカートリッジ４６が装着されたカートリッジ装着部４７が配置されている。インクカートリッジ４６の交換は、右側の開閉扉１２を開けた状態で正面から簡単に行なうことができる。
【００２９】
図２はＣＤ／ＤＶＤパブリッシャ１の主要部分の機能ブロック図である。図２に示すように、ＣＤ／ＤＶＤパブリッシャ１は、メディアドライブ３におけるデータ書込み動作中に、レーベルプリンタ４にメディアが供給されていないメディア供給待ち状態が発生していることを検出するメディア供給待ち状態検出手段３１を備えている。また、第１メディアスタッカ５からブランクメディア１０が無くなった第１メディア終了状態を検出する第１メディア終了検出手段３２と、第２メディアスタッカ６にブランクメディア１１（１）があるか否かを検出する第２メディア検出手段３３とを備えている。メディア搬送機構２が第１メディアスタッカ５からブランクメディア１０をメディアドライブ３へ供給する際に、第１メディア終了状態を検出する。同様に、メディア搬送機構２が第２メディアスタッカ６からデータ書込み済みメディア１１（１）をメディアドライブ３へ供給する際に、当該データ書込み済みメディア１１（１）の有無を検出する。なお、メディア搬送機構２、メディアドライブ３およびレーベルプリンタ４は動作状態を示すステータス情報を相互に送受信して連携を図っており、搭載されているファームウエアによってその駆動が制御されている。
【００３０】
図２を参照してＣＤ／ＤＶＤパブリッシャ１の主要機能を説明すると、まず、メディア搬送機構２は、第１メディアスタッカ５に収納されているブランクメディア１０を逐次メディアドライブ３に供給する（ＳＴ１）。ブランクメディア１０が供給されるとメディアドライブ３は所定のデータを書込む（ＳＴ２）。所定のデータとは、第２メディアスタッカ６に収納されているデータ書込み済みメディア１１（１）に書込まれているデータと同一のデータである。従って、メディアドライブ３によってブランクメディア１０にデータを書込むことにより得られたデータ書込み済みメディア（書込み済み第１メディア）１０（１）と第２メディアスタッカ６に収納されているデータ書込み済みメディア１１（１）とは同一のメディア状態になる。
【００３１】
次に、データ書込み済みメディア１０（１）は、メディア搬送機構２によってレーベルプリンタ４に供給される（ＳＴ３）。レーベルプリンタ４では、データ書込み済みメディア１０（１）に所定のレーベルを印刷する（ＳＴ４）。そして、レーベルプリンタ４におけるレーベルの印刷が終了して得られる作成済み第１メディア１０（２）は、メディア搬送機構２によってレーベルプリンタ４からメディア排出用スタッカ７に排出される（ＳＴ５）。これら一連のメディア作成の動作が第１メディアスタッカ５に収納されているブランクメディア１０が無くなるまで繰り返し行なわれる。
【００３２】
ここで、メディア供給待ち状態検出手段３１がメディア供給待ち状態を検出した場合、すなわち、メディアドライブ３でブランクメディア１０に対するデータの書込みが行なわれている間に、レーベルプリンタ４にメディアが供給されていない状態が発生していることが検出されると、次のような割り込み処理が実行される。
【００３３】
すなわち、第２メディアスタッカ６に収納されていたデータ書込み済みメディア１１（１）を、メディア搬送機構２によってレーベルプリンタ４に供給する（ＳＴ６）。レーベルプリンタ４では、データ書込み済みメディア１１（１）に所定のレーベルを印刷する（ＳＴ７）。所定のレーベルとは、ステップＳＴ４において印刷されるレーベルと同一のレーベルである。従って、データ書込み済みメディア１１（１）にレーベルを印刷して得られる作成済み第２メディア１１（２）は、ステップＳＴ４の作成済み第１メディア１０（２）と同一になる。作成済み第２メディア１１（２）は、メディア搬送機構２によってレーベルプリンタ４からメディア排出用スタッカ７に排出される（ＳＴ８）。
【００３４】
また、ステップＳＴ８で作成済み第２メディア１１（２）がメディア排出用スタッカ７に排出された後においてもメディアドライブ３におけるデータの書込みが継続しており、メディア供給待ち状態が検出された場合には、ステップＳＴ６からステップＳＴ８の割り込み処理が繰り返される。換言すれば、ブランクメディア１０へデータの書込みが行なわれている間は、当該データ書込み動作が終了するまで、第２メディアスタッカ６からレーベルプリンタ４へ供給されるデータ書込み済みメディア１１（１）へのレーベルの印刷が繰り返される。
【００３５】
なお、第１メディア終了検出手段３２が、第１メディアスタッカ５からブランクメディア１０が無くなった第１メディア終了状態を検出した場合において、第２メディアスタッカ６にデータ書込み済みメディア１１（１）が残っている場合には、再び、割り込み処理が起動され、ステップＳＴ６からステップＳＴ８の動作が繰り返される。すなわち、第２メディアスタッカ６からデータ書込み済みメディア１１（１）がレーベルブリンタ４へ繰返し供給されて、レーベルの印刷が行なわれ、得られた作成済み第２メディア１１（２）がメディア排出用スタッカ７に排出される。
【００３６】
以上説明したように、本実施の形態に係るＣＤ／ＤＶＤパブリッシャ１においては、ブランクメディア１０に対するデータの書込み中におけるレーベルプリンタ４のアイドリング期間を利用して、当該レーベルプリンタ４によってデータ書込み済みメディア１１（１）にレーベルを印刷するようにしている。したがって、ブランクメディア１０の作成動作とデータ書込み済みメディア１１（１）のレーベル印刷動作が同時に行なわれるので、ブランクメディア１０の作成動作に支障をきたすことなく、効率良くデータ書込み済みメディア１１（１）にレーベルを印刷できる。
【００３７】
（処理動作の説明）
図３および図４は、ＣＤ／ＤＶＤパブリッシャ１によるメディア作成の処理動作を示すフローチャートである。このフローチャートに従ってメディア作成動作、およびそれと並行して行なわれるレーベル印刷動作を説明する。
【００３８】
図３に示すように、ステップＳＴ１０で、第１メディアスタッカ５に収納されているブランクメディア１０の有無を確認する。ブランクメディア１０が無ければ図４に示すステップＳＴ３０に移行する。ステップＳＴ３０以降の動作は後述する。
【００３９】
ブランクメディア１０があれば、ステップＳＴ１１に移行して、メディア搬送機構２は第１メディアスタッカ５からメディアドライブ３の引き出された状態のメディアトレイ３５にブランクメディア１０を搬送する。メディアドライブ３は、メディア搬送機構２からメディアを受け取ると、メディアトレイ３５を内部に収納して、ステップＳＴ１２のデータの書込みを開始する。
【００４０】
メディアドライブ３によるデータ書込みが始まると、ステップＳＴ１８で当該データ書込みが終了したことが確認されるまで、以下に説明するステップＳＴ１３からステップＳＴ１７の動作を繰り返す。
【００４１】
すなわち、ステップＳＴ１３では、メディア供給待ち状態検出手段３１がレーベルプリンタ４のメディア供給待ち状態を検出する。レーベルプリンタ４においてレーベルの印刷が行なわれていなければ、メディア供給待ち状態が検出される。メディア供給待ち状態が検出されるとステップＳＴ１４に移行する。検出されない場合には、ステップＳＴ１８に戻る。
【００４２】
ステップＳＴ１４では、第２メディアスタッカ６に収納されているデータ書込み済みメディア１１（１）の有無を確認する。データ書込み済みメディア１１（１）が存在しなければ、ステップＳＴ１８に戻る。
【００４３】
データ書込み済みメディア１１（１）が存在すれば、ステップＳＴ１５に移行して、メディア搬送機構２は第２メディアスタッカ６からレーベルプリンタ４の引き出された状態のメディアトレイ４５へデータ書込み済みメディア１１（１）を供給する。続くステップＳＴ１６では、レーベルプリンタ４によって供給されたデータ書込み済みメディア１１（１）にレーベルの印刷が行なわれる。レーベルの印刷が終了すると、ステップＳＴ１７において、メディア搬送機構２は、レーベルプリンタ４からメディア排出用スタッカ７に作成済み第２メディア１１（２）を排出した後、ステップＳＴ１８に戻る。
【００４４】
次に、ステップＳＴ１８においてメディアドライブ３による当該データ書込みが終了したことが確認されると、ステップＳＴ１９では、レーベルプリンタ４においてレーベルの印刷が行なわれているか否かを確認する。メディア搬送機構２によって第２メディアスタッカ６からレーベルプリンタ４にデータ書込み済みメディア１１（１）が供給されており、レーベルの印刷が行なわれている可能性があるからである。
【００４５】
ステップＳＴ１９において、レーベルの印刷が行なわれていないことが確認された場合には、ステップＳＴ２０に移行して、メディア搬送機構２は、メディアドライブ３からレーベルプリンタ４の引き出された状態のメディアトレイ４５へデータ書込み済みメディア１０（１）を供給する。続くステップＳＴ２１では、供給されたデータ書込み済みメディア１０（１）にレーベルの印刷が行なわれる。レーベルの印刷が終了すると、ステップＳＴ２２で、メディア搬送機構２は、レーベルプリンタ４からメディア排出用スタッカ７に作成済み第１メディア１０（２）を排出した後、ステップＳＴ１０に戻る。
【００４６】
一方、ステップＳＴ１９において、レーベルプリンタ４がレーベルの印刷中であることが確認された場合には、続くステップＳＴ２３で当該レーベル印刷の終了を待つ。ステップＳＴ２３で当該レーベル印刷が終了したことが確認されると、ステップＳＴ２４に移行して、メディア搬送機構２はレーベルプリンタ４からメディア排出用スタッカ７へ作成済み第２メディア１１（２）を排出する。
【００４７】
ここで、レーベルプリンタ４からメディア排出用スタッカ７へ作成済み第２メディア１１（２）が排出されると、ステップＳＴ２０〜ステップＳＴ２２の処理が行なわれる。すなわち、メディアドライブ３においてデータの書込みが行なわれたデータ書込み済みメディア１０（１）がレーベルプリンタ４に供給され、レーベルの印刷が行なわれた後の作成済み第１メディア１０（２）がメディア排出用スタッカ７に排出された後、ステップＳＴ１０に戻る。
【００４８】
次に、図４を参照して、ステップＳＴ３０以降の動作を説明する。ステップＳＴ３０への制御の移行は、ステップＳＴ１０において第１メディアスタッカ５にブランクメディア１０が無い場合に行なわれる。すなわち、第１メディア終了状態検出手段３２が第１メディア終了状態を検出した場合に制御がステップＳＴ３０に移行する。
【００４９】
制御がステップＳＴ３０に移行すると、第２メディアスタッカ５に収納されているデータ書込み済みメディア１１（１）の有無を確認する。データ書込み済みメディア１１（１）が無ければ、ステップＳＴ３１に移行して、ＣＤ／ＤＶＤパブリッシャ１はその処理動作を終了する。
【００５０】
データ書込み済みメディア１１（１）があれば、ステップＳＴ３２でレーベルプリンタ４がレーベルの印刷中か否かを確認する。先にレーベルプリンタ４に供給されているメディアに対してレーベルの印刷が行なわれている可能性があるからである。
【００５１】
ステップＳＴ３２において、レーベルプリンタ４でレーベルの印刷が行なわれていないことが確認された場合には、ステップＳＴ３３に移行して、メディア搬送機構２は第２メディアスタッカ６からレーベルプリンタ４の引き出された状態のメディアトレイ４５へデータ書込み済みメディア１１（１）を供給する。
【００５２】
続くステップＳＴ３４では、供給されたデータ書込み済みメディア１１（１）にレーベルの印刷が行なわれる。レーベルの印刷が終了すると、ステップＳＴ３５で、メディア搬送機構２は、レーベルプリンタ４からメディア排出用スタッカ７へ作成済み第２メディア１１（２）を排出した後、ステップＳＴ３０に戻る。
【００５３】
一方、ステップＳＴ３２において、レーベルプリンタ４がレーベルの印刷中であることが確認された場合には、続くステップＳＴ３６で当該レーベル印刷の終了を待つ。ステップＳＴ３６で当該レーベル印刷が終了したことが確認されると、ステップＳＴ３７に移行して、メディア搬送機構２は、レーベルプリンタ４からメディア排出用スタッカ７へ作成済み第２メディア１１（２）あるいは作成済み第１メディア１０（２）を排出する。
【００５４】
ステップＳＴ３２においてレーベル印刷中だったメディアがメディア排出用スタッカ７へ排出された後は、ステップＳＴ３３〜ステップＳＴ３５の処理が行なわれる。すなわち、データ書込み済みメディア１１（１）が第２メディアスタッカ６からレーベルプリンタ４に供給された後、レーベルの印刷が行なわれ、作成済み第２メディア１１（２）がメディア排出用スタッカ７に排出された後、ステップＳＴ３０に戻る。
【００５５】
（その他の実施の形態）
上記の例では、第２メディアスタッカ６から供給されるデータ書込み済みメディア１１（１）に書込まれていた所定のデータとメディアドライブ３によってブランクメディア１０に書込まれるデータとは同一のデータであったが、ブランクメディア１０に書込むデータは、データ書込み済みメディア１１（１）に書込まれているデータとは異なるものでもよい。
【００５６】
この場合には、レーベルプリンタ４が第１メディアスタッカ５から供給されたブランクメディア１０に対して印刷するレーベルと、データ書込み済みメディア１１（１）に対して印刷するレーベルとを異なるものにしておけば、データに対応するレーベルを印刷して２種類のメディアを作成することができる。
【００５７】
また、メディア排出用スタッカ７とは異なる第２のメディア排出用スタッカを設け、ブランクメディア１０に対してレーベルを印刷した作成済み第１メディア１０（２）はメディア排出用スタッカ７に排出し、データ書込み済みメディア１１（１）に対してレーベルを印刷した作成済み第２メディア１１（２）は第２のメディア排出用スタッカに排出すれば、両者を分別する作業を省くことができる。ここで、本例のＣＤ／ＤＶＤパブリッシャ１は、排出トレイ５０を備えているので、この排出トレイ５０を第２のメディア排出用スタッカとして利用することができる。
【００５８】
また、第１メディアスタッカ５からブランクメディア１０を供給してデータの書込みを行なっていたが、供給されるメディアはブランクメディア１０に限られるものではない。データ書込み領域の一部分に既にデータが書込まれている追記型或いは書き換え型のメディアを第１メディアスタッカ５に収納しておいて、それらに所定のデータを書込むこともできる。
【００５９】
さらに、上記の例では、ＣＤ／ＤＶＤパブリッシャ１のメディアドライブ３、レーベルプリンタ４、メディア搬送機構２は、その駆動を各ハードウエアに搭載されたファームウエアで制御するようにしていたが、ＣＤ／ＤＶＤパブリッシャ１に通信可能に接続された駆動制御装置からその駆動を制御して、上記の例と同様のメディア作成の動作を行なうこともできる。この場合には、駆動制御装置の側に搭載したアプリケーションソフト、ドライバソフトなどによって、ＣＤ／ＤＶＤパブリッシャ１のハードウエアの動作状態を示すステータス情報を受信して、ＣＤ／ＤＶＤパブリッシャ１の状態を監視しながら、ＣＤ／ＤＶＤパブリッシャ１を駆動制御すればよい。
【００６０】
また、レーベルプリンタ４としてインクジェットプリンタを用いていたが、レーベルプリンタ４としては、レーザプリンタなどトナーインクを用いてレーベルの印刷を行なうプリンタであってもよい。
【図面の簡単な説明】
【００６１】
【図１】本発明を適用したＣＤ／ＤＶＤパブリッシャの斜視図である。
【図２】ＣＤ／ＤＶＤパブリッシャの機能ブロック図である。
【図３】ＣＤ／ＤＶＤパブリッシャの処理動作を示すフローチャートである。
【図４】ＣＤ／ＤＶＤパブリッシャの処理動作を示すフローチャートである。
【符号の説明】
【００６２】
１・ＣＤ／ＤＶＤパブリッシャ、２・メディア搬送機構、３・メディアドライブ、４・レーベルプリンタ、５・第１メディアスタッカ、６・第２メディアスタッカ、７・メディア排出用スタッカ、８・筺体、１０・ブランクメディア、１０（１）・データ書込み済みメディア、１０（２）・作成済み第１メディア、１１（１）・データ書込み済みメディア、１１（２）・作成済み第２メディア、１２，１３・開閉扉、２１・垂直ガイド軸、２２・メディアキャリア、３１・メディア供給待ち状態検出手段、３２・第１メディア終了検出手段、３３・第２メディア検出手段、３５，４５・メディアトレイ、４６・インクカートリッジ、４７・カートリッジ装着部、５０・排出トレイ（第２のメディア排出用スタッカ）
【図１】
2008123632.tif 000003
【図２】
2008123632.tif 000004
【図３】
2008123632.tif 000005
【図４】
2008123632.tif 000006